(57)【要約】      （修正有）【課題】各種の建築物の天井部分に昇降自在の防火シートシャッターの一部に相対する開閉の異なるシート開閉扉を開閉自在の二重構造とした火災圧に対応できる捲込防火扉付シートシャッターの扉気密装置である。【解決手段】防火シート本体１は、一方のシートシャッターＡと、反対側の他方のシートシャッターＢとを有し、各々のシートシャッター側には、相対する開閉状態が異なる垂直シート開閉扉２と、押圧によって自由に開放できる押圧シート開閉扉を吊設した火災圧の防止用の二重構造の扉気密装置である。また、防火シート本体と垂直シート開閉扉との出入口の召合せ部における、該防火シート本体側と垂直シート開閉扉との端縁に縦方向の気密シートを縫着する。更に、防火シート本体の端縁と、対接する垂直シート開閉扉のみに縦方向の長手帯状の気密シート８の中央部に沿って縫着部１０を設けて縫着したことを特徴としている。【選択図】図３
2005076435.tif 000002
【特許請求の範囲】
【請求項１】
各種建築物内の天井部分に配設する捲込防火扉付シートシャッターにおいて、開口部全体に張設する防火シート本体（１）には、一方のシートシャッター（Ａ）と、反対側の他方のシートシャッター（Ｂ）とを有し、一方の該シートシャッター（Ａ）には、一部に垂直シート開閉扉（２）を設け、他方のシートシャッター（Ｂ）には、該垂直シート開閉扉（２）と相対する位置に押圧シート開閉扉（３）を吊下して二重構造としたことを特徴とする捲込防火扉付シートシャッターの扉気密装置。
【請求項２】
防火シート本体（１）と垂直シート開閉扉（２）との召合せ部において、該防火シート本体（１）には、開口縁の縦方向に長手帯状の機密シート（７）の端縁を縫着部（１０）で縫着し、相対応する垂直シート開閉扉（２）には、端縁に長手帯状の気密シート（８）の端縁を縦方向に縫着部（１０）で縫着したことを特徴とする捲込防火扉付シートシャッターの扉気密装置。
【請求項３】
防火シート本体（１）と垂直シート開閉扉（２）との召合せ部において、該防火シート本体（１）の開口縁の端縁と、相対応する該垂直シート開閉扉（２）の端縁とを対接し、該垂直シート開閉扉（２）には、対接位置に長手帯状の気密シート（９）を縦方向の稍中央部に沿って縫着部（１０）を以って縫着したことを特徴とする捲込防火扉付シートシャッターの扉気密装置。
【発明の詳細な説明】
【技術分野】
【０００１】  本発明は、各種の建築物の天井部に昇降自在に捲込される防火シートシャッターであり、防火シートシャッターの一部に設ける防火シート開閉扉を相対する二重構造とし、火災時に何れの方向からの火災による熱風圧を受けても、気密シートと二重のシート開閉扉によって隙間が生じないで完全に自動的に閉鎖する捲込防火扉付シートシャッターの扉気密装置に関するものである。
【背景技術】
【０００２】  従来、この種の捲込自在の防火シートシャッターは、一方の避難方向に開放するための一重の防火シート扉を避難扉として使用することが一般的な事柄である。（例えば、本出願人が先に出願した特願平１１年５７５２４号参照）
【発明の開示】
【発明が解決しよとうする課題】
【０００３】  上記従来の技術で述べた捲込式の防火シートシャッターにおける防火シート製のシート開閉扉は、シート製のために風圧に対して容易に開放しやすく、特に避難方向の火災により熱圧力を受けた場合には、避難で開放したシート扉は、火災圧力のため自動的に閉鎖することは不可能であると云う問題点があった。
本発明は、前述の欠点である各問題点を解決するものであり、その主たる目的とする所は、捲込防火シャッターの一部に構成するシート開閉扉を前後に相対して二重構造のシート開閉扉を構成して熱風圧等よりの耐熱及び気密性を向上させた点と、防火シート本体と、一方の垂直シート開閉扉との召合せ部とに、長手帯状で縦方向の開閉自在の気密シートを縫着することによって、閉鎖時における熱圧力と火災圧等による浸入移動を防止できる捲込防火扉付シートシャッターの扉気密装置を提供するものである。
【課題を解決するための手段】
【０００４】  本発明は、上記目的を達成するために、防火扉付シートシャッターには、表裏の一方のシートシャッターと、反対側の他方のシートシャッターとを設ける。この一方のシートシャッター側には、一部に垂直シート開閉扉を設け、他方のシートシャッター側には、相対する位置に押圧シート開閉扉を垂下形成して二重の防火構造に構成したものである。
また、同様な目的のために、防火シート本体と垂直シート開閉扉との召合せ部において、該防火シート本体には、開口縁に縦方向の帯状の気密シートの端縁を縫着する。その相対する垂直シート開閉扉にも同様に端縁に気密シートを縦方向に縫着し、隙間が生じないように何れの方向からも風圧の浸入を防止するようにしたものである。
更に、防火シート本体と垂直シート開閉扉との召合せ部に対して、該垂直シート開閉扉の端縁には縦方向の帯状の気密シートの稍中央部に縫着部を設け、該縫着部の縦方向の両側が各々の方向の熱圧等によっても隙間が生じないように開き、隙間を閉鎖し、何れの方向からも風圧の浸入を防止するようにしたものである。
【発明を実施するための最良の形態】
【０００５】  本発明の捲込防火扉付シートシャッターの扉気密装置において、火災が発生して人々が非難する場合、例えば、図２に示すＡ側より反対側のＢ側に避難する時は、Ａ側の垂直シート開閉扉（２）を点線のように手前に引いて開放し、次に反対側のＢ側に位置する垂下されている押圧シート開閉扉（３）を点線のように押して開放するか、または持ち上げて開放して、避難するものである。また、図２のＢ側より避難する場合は、前記と反対に最初に押圧シート開閉扉（３）を引いて開放するか、または下から持ち上げて開放通行し、次に該押圧シート開閉扉（３）を押して開放した後に避難するものである。【０００６】  次に、火災時に前後二重構造であるシート開閉扉であっても火災による風圧、熱圧力が一方より他方に隙間より侵入するのを防止するために、図４に示すシートシャッター（Ｂ）より矢印進行のように火災圧が侵入しても気密シート（８）が図４のように開放して閉鎖し反対側への火災圧を逆流して侵入を防止する。
また、図６に示すものは、垂直シート開閉扉（２）側よりの風圧、火災圧が矢印のように隙間より浸入する場合でも、防火シート本体（１）の開口縁に縫着した気密シート（７）が開放して浸入隙間を閉鎖して浸入を防止する。【０００７】  更に、図６に示す、垂直シート開閉扉（２）の端縁に縦方向の気密シート（９）の中央部を縫着したものでは、図７に示すように、反対側のシートシャッター（Ｂ）側よりの熱圧、火災圧によって気密シート（９）の一方を開放して通風を遮断防止できるものである。
また、図８に示すものは、一方のシートシャッター（Ａ）側よりの熱圧、火災圧が生じた場合には、垂直シート開閉扉（２）に縫着した気密シート（９）の一方の端縁が防火シート本体（１）側に開放して矢印の如く火災圧の熱風を遮断防止するものである。
【実施例１】
【０００８】  次に、本発明の実施例を図面に基づいて説明すると、図１に示すものは、一方のシートシャッター（Ａ）側からの正面で、その裏面側に他方のシートシャッター（Ｂ）側を示し、防火シート本体（１）は、複数枚のシートを縦方向及び横方向し重合部を設けて不燃性の縫着部（１０）（１０）を以って縫成する。該防火シート本体（１）の構成材料は、不燃織布等を使用すると共に、内部に耐火フェルト等の耐熱芯材を介装することもある。
次に、図２に示す該防火シート本体（１）には、一部に相対する出入口となる垂直シート開閉扉（２）と、押圧シート開閉扉（３）とを以って二重扉構造に形成されている。
【実施例２】
【０００９】  該垂直シート開閉扉（２）は、一方のシートシャッター（Ａ）側の所定位置に片側の縦方の端縁を縫着部（１０）を以って縫着し、他側の端縁は垂直に開閉自在となっている。該垂直シート開閉扉（２）には、下端に開閉自在となるシート開閉扉下枠（５）を装設してある。該シート開閉扉下枠（５）は、該防火シート本体（１）の下端に固定されている座板（４）との間の発条付蝶番（１５）の介在固定によって可動自在に固定されている。
次に、該押圧シート開閉扉（３）は、該垂直シート開閉扉（２）と相対する位置に上端を横方向の縫着部（１０）を以って縫着して引いたり、持ち上げて開閉する吊下げ状態に装設されている。且つ該押圧シート開閉扉（３）の下端にシート開閉扉下枠（６）を移動自在に垂下装設してある。【００１０】  図１のＥ−Ｅ線の横断面である図３に示される実施例では、一方のシートシャッター（Ａ）側の垂直シート開閉扉（２）と、他方のシートシャッター（Ｂ）側の防火シート本体（１）の開口部との召合せ部を示すもので、該防火シート本体（１）の開口縁の縦方向に帯状の気密シート（７）の端縁を縫着部（１０）を以って開閉自在に取着する。また、該垂直シート開閉扉（２）の開放側の端縁に帯状の縦方向の気密シート（８）の端縁を縫着部（１０）によって開閉自在に取着している。【００１１】  次に、図４において、他方のシートシャッター（Ｂ）側より、火災による火災圧、熱圧が矢印のように一方のシートシャッター（Ａ）側に圧風した場合には、該シートシャッター（Ａ）の端縁に設けた気密シート（８）の先端は、開放して該防火シート本体（１）のに圧接して隙間を防ぎ火災通路を閉鎖して反対側への火圧力の通過を防止するものである。
また、図５において、一方のシートシャッター（Ａ）側より、火災による火煙圧等が矢印のように圧風し、シートシャッター（Ｂ）側に圧接した場合には、防火シート本体（１）の縦方向の開口縁に縫着部（１０）を以って縫着した気密シート（７）の先端が開放して火災通路を閉鎖して反対側への火圧力の通過を防止できる。
【実施例３】
【００１２】  図６の実施例において、一方のシートシャッター（Ａ）側の垂直シート開閉扉（２）の端縁と、他方のシートシャッター（Ｂ）側の防火シート本体（１）との召合せ部において、該垂直シート開閉扉（２）の縦方向の端縁に帯状の気密シート（９）の中央部に沿って縫着部（１０）（１０）を設けて、該気密シート（９）の帯状の両側を開閉自在に縫着したものである。【００１３】  図７に示すものは、他方のシートシャッター（Ｂ）側の開口縁に対接する垂直シート開閉扉（２）の召合せ部において、該シートシャッター（Ｂ）側より火災による火災圧が矢印の如く浸入すると、該気密シート（９）の一方の端縁が開放して該防火シート本体（１）側に圧接して火圧の浸入移動を防止して、他方のシートシャッター（Ｂ）側より、一方のシートシャッター（Ａ）側に火災圧や熱風圧の進行を閉鎖するものである。
図８に示す実施例は、一方のシートシャッター（Ａ）よりの火災による火災圧が加わる場合を示し、防火シート本体（１）と垂直シート開閉扉（２）との召合せ部において、該垂直シート開閉扉（２）の端縁の内面に設けてある帯状の縦方向の気密シート（９）の稍中央部に縫着部（１０）を境として端縁側の気密シート（９）の一部が開放して通路の隙間を閉鎖して、火災圧、熱風圧が反対側のシートシャッター（Ｂ）側への浸入を防止することができる。【００１４】  次は、図９に示すものは、本発明が使用する捲込防火扉付シートシャッターを示し、（１３）は捲込みケースで、（１２）は該捲込みケース（１３）の内部に位置する捲込みシャフトを示すもので、（１４）はまぐさを示し、（１１）は捲込防火シートシャッターの案内レールを示したものである。
【発明の効果】
【００１５】  以上説明したように、二重構造とした捲込防火扉付シートシャッターの扉気密装置によれば、従来の一重のシートシャッターの避難用の開閉扉のように、火災圧、煙圧等の風圧に対しても開放したり隙間が生ずることなく、確実に閉扉を維持できる効果と、各場所における一方及び反対側の他方のいずれか一方のシート開閉扉を開放し、次に他方のシート開閉扉を開放して避難するため、二重の防火シートの役目を充分に果し、耐熱性及び気密性の優れた効果がある。
そして、本発明の防火シート本体は、一方のシートシャッター側に垂直シート開閉扉を設け、他方の相対するシートシャッター側に押圧シート開閉扉を装設した二重構造としたもので、該垂直シート開閉扉は、ドアーの開閉の如く開放閉鎖が確実にでき、反対側の押圧シート開閉扉の如く、押したり引いたり又は持ち上げて容易に開放、閉鎖して避難する際の火圧による重合部が離れた状態の時でも開放が生じないように作動閉鎖する等の効果がある。
更に、防火シート本体と垂直シート開閉扉との召合せ部における、防火シート本体側の開閉後に長手帯状の縦方向の気密シートを縫着し、相対する垂直シート開閉扉の端縁にも気密シートを縫着したことにより、一方のＡ側のシートシャッターから召合せ部に火災圧、熱風圧が生じても気密シートが閉鎖して隙間を防止し、反対側の他方Ｂ側のシートシャッターに火災圧等が浸入することがない安全な効果がある。
また、該防火シート本体と垂直シート開閉扉との召合せ部における垂直シート開閉扉側のみの端縁に縦方向の中央部を縫着した気密シートによっては、一方のシートシャッター又は反対側の他方のシートシャッター側が火災の際の火災圧、熱風圧等の発生の場合には、各々の気密シートの縦方向の両端縁が開放して隙間を閉鎖し、火災圧等の浸入を各々が反対への移動を遮断できると云う安全な効果がある。
【図面の簡単な説明】
【００１６】
【図１】  本発明一方から見たシートシャッターの全体の一部欠除した正面図である。
【図２】  同じく図１のＣ−Ｃ線の横断平面図である。
【図３】  本発明の一方のシートシャッター（Ａ）側と他方のシートシャッター（Ｂ）側との召合せ部の図１のＥ−Ｅ線の一部欠除した横断平面図である。
【図４】  同じく本発明のシートシャッター（Ｂ）側より火災圧の浸入した場合の一部欠除した横断平面図である。
【図５】  同じく本発明の図８の状態よりシートシャッター（Ａ）側より火災圧が浸入する場合の横断平面図である。
【図６】  同じく本発明の他の実施例の召合せ部の一部欠除した横断平面図である。
【図７】  本発明の他方のシートシャッター（Ｂ）からの火災圧の浸入する状態の時の横断平面図である。
【図８】  同じく本発明の一方のシートシャッター（Ａ）からの火災圧の浸入する際の横断平面図である。
【図９】  本発明のシートシャッターを装設した捲込シートシャッターの縦断側面図である。
【図１０】  本発明の相対するシート開閉扉の下端の各々のシート扉下枠を示す一部欠除した縦断側面図である。
【図１１】  本発明の防火シート本体の下端に設けた座板の縦断側面図である。
【図１２】  本発明の座板とシート開閉扉の扉下枠とを発条付蝶番で連結した一部欠除した正面図である。
【符号の説明】
【００１７】Ａ          一方のシートシャッター
Ｂ          他方のシートシャッター
１          防火シート本体
２          垂直シート開閉扉
３          押圧シート開閉扉
４          座板
５、６      シート開閉扉下枠
７、８、９  気密シート
１０        縫着部
１１        ガイドレール
１２        捲込みシャット
１３        捲込みケース
１４        まぐさ
１５        発条付蝶番
【図１】
2005076435.tif 000003
【図２】
2005076435.tif 000004
【図３】
2005076435.tif 000005
【図４】
2005076435.tif 000006
【図５】
2005076435.tif 000007
【図６】
2005076435.tif 000008
【図７】
2005076435.tif 000009
【図８】
2005076435.tif 000010
【図９】
2005076435.tif 000011
【図１０】
2005076435.tif 000012
【図１１】
2005076435.tif 000013
【図１２】
2005076435.tif 000014